(57)【要約】【課題】ボードとの取付けおよび取外しが容易に行えるとともに、ボード固定時にがたつくことのない棚取付構造を提供する。【解決手段】棚板１１と、棚板１１を受ける棚受け１２とを備える棚本体の、棚受け１２の取付面側に第１および第２の係止部１４を有し、これら係止部１４を孔あきボードの通孔２１に嵌め込んで、孔あきボード２０に棚本体を固定する棚取付構造であって、棚受けの前記第１および第２の係止部１４を設けた部位の少なくとも一方の部位が弾力性を有するとともに、棚受け１２の第１および第２の係止部１４を設けた部位の間に外れ防止軸１７を着脱自在に備えた。【選択図】        図１
2004236827.tif 000002
【特許請求の範囲】
【請求項１】
棚板と該棚板を受ける棚受けとを備える棚本体の、前記棚受けの取付面側に第１および第２の係止部を有し、これら係止部を孔あきボードの通孔に嵌め込んで、前記孔あきボードに棚本体を固定する棚取付構造であって、
前記棚受けの前記第１および第２の係止部を設けた部位の少なくとも一方の部位が弾力性を有するとともに、前記棚受けの前記第１および第２の係止部を設けた部位の間に外れ防止軸を着脱自在に備えたことを特徴とする棚取付構造。
【請求項２】
請求項１に記載の棚取付構造において、
前記第１および第２の係止部の少なくとも一方の係止部は、該係止部が係止する通孔の縁に係合する凹状の切欠き部を有することを特徴とする棚取付構造。
【請求項３】
請求項１又は２に記載の棚取付構造において、
前記棚受けは、取付面長手方向の両端部に前記第１および第２の係止部をそれぞれ有することを特徴とする棚取付構造。
【請求項４】
請求項１〜３のいずれか一項に記載の棚取付構造において、
前記棚本体は、両側面部に前記棚受けを有することを特徴とする棚取付構造。
【請求項５】
請求項１〜３のいずれか一項に記載の棚取付構造において、
前記棚本体は、上下面部に前記棚受けを有することを特徴とする棚取付構造。
【請求項６】
請求項１〜５のいずれか一項に記載の棚取付構造において、
前記棚受けは、前記第１および第２の係止部の間に突起部をさらに備え、
棚本体の前記ボードへの取り付け時には、前記突起部が前記ボードの通孔の１つに嵌め込まれることを特徴とする棚取付構造。
【請求項７】
請求項１〜６のいずれか一項に記載の棚取付構造において、
前記外れ防止軸の一端は前記棚受けに取り付けられ、該取り付け箇所を支点として回動可能であることを特徴とする棚取付構造。
【発明の詳細な説明】
【０００１】
【発明の属する技術分野】
本発明は、ハンガーボードなどの孔あきボードに棚を取付けるための棚取付構造に関し、より詳しくは、孔あきボードに設けられた通孔に棚受けの係止部を係合させることにより棚をボードに固定する棚取付構造に関する。
【０００２】
【従来の技術】
棚本体をハンガーボードなどの孔あきボードに取付けるための棚取付具としては、従来、物品懸垂用フックが用いられていた。
図８は、従来の物品懸垂用フックをハンガーボードに取付けた状態の側断面図である。図８に示すように、物品懸垂用フック１は、プレート本体の表面にフック部２を突設するとともに、裏面の上下位置にハンガーボード５への係止部３とダボ４とを突設してある。そして、係止部３をハンガーボード５の通孔５ａ内へ水平に挿入した後、ダボ４側を回転させてダボ４をハンガーボード５の通孔５ｂへ装着していた（例えば、特許文献１参照。）。
【０００３】
このような構成を備える物品懸垂用フック１によると、ハンガーボード５に対する強い固定力を得ることができるが、フックを取り外すためには工具を用いてダボ４を引き抜く作業が必要であるため、取外しが容易に行えないといった問題があった。特に、フック取付け時の位置決めをするに際し、ハンガーボード５との着脱を繰り返す場合には、取外しの煩わしさに耐えない。
さらに、ハンガーボード５のフック取付面の裏面にスペースが殆どないような場合には、通孔５ｂに装着されたダボ４の引っ掛かりをハンガーボード５の裏面から外すことができないため、取外しが困難となっていた。
【０００４】
図９は、以上のような問題を解決する他の従来の物品懸垂用フックをハンガーボードに取付けた状態の側断面図である。図９に示すように、物品懸垂用フック６は、上方向の部分に凹状の切欠き部７を有する係止部８を、ハンガーボード５の通孔５ａ，５ｂに挿入し、物品懸垂用フック６に重みが加わった場合に切欠き部７の一部が通孔５ａ，５ｂの縁に係止され、ハンガーボード５に固定されている。また、物品懸垂用フック６の背面には、フックを容易にハンガーボード５から取り外すための剥離板を挿入できる凹み部９が設けられている（例えば、特許文献２参照。）。
【０００５】
このような構成を備える物品懸垂用フック６によると、フックに懸垂される荷物の重みにより物品懸垂用フック６がハンガーボード５から容易に外れることはなく、また、意識的に取り外す場合には、剥離板を使用することにより容易に外すことができる。
【０００６】
【特許文献１】
実公昭５７−１３６２８８号公報
【特許文献２】
特開２０００−５１０５９号公報
【０００７】
【発明が解決しようとする課題】
しかしながら、このような従来の物品懸垂用フックを用いた棚取付構造によると、係止部とハンガーボードの通孔との間に多少の隙間ができるため、上下方向へのがたつきが生じ、安定性に欠けるといった問題があった。
【０００８】
本発明は、以上のような問題を解決するためになされたものであり、ボードとの取付けおよび取外しが容易に行えるとともに、ボード固定時にがたつくことのない棚取付構造を提供することを目的とする。
【０００９】
【課題を解決するための手段】
上記目的を達成するため、本発明の請求項１に記載の棚取付構造は、棚板と該棚板を受ける棚受けとを備える棚本体の、棚受けの取付面側に第１および第２の係止部を有し、これら係止部を孔あきボードの通孔に嵌め込んで、孔あきボードに棚本体を固定する棚取付構造であって、棚受けの第１および第２の係止部を設けた部位の少なくとも一方の部位が弾力性を有するとともに、棚受けの第１および第２の係止部を設けた部位の間に外れ防止軸を着脱自在に備えた構成としてある。
【００１０】
棚取付構造をこのような構成にすれば、棚受けの係止部は取付けた部位の弾力性を利用して、第１および第２の係止部を嵌め込む二つの通孔の幅に、第１の係止部と第２の係止部との幅を合わせることができ、第１および第２の係止部の通孔への取付け、取外しを容易に行うことができる。
また、第１および第２の係止部はともに、外れ防止軸によってそれぞれが嵌め込まれている通孔に押さえ付けられるので、強い固定力を得ることができる。
【００１１】
本発明の請求項２に記載の棚取付構造は、第１および第２の係止部の少なくとも一方は、該係止部が係止する通孔の縁に係合する凹字状の切欠き部を有する構成としてある。
棚取付構造をこのような構成にすれば、棚本体のボードへの取付け時に凹字状の切欠き部が通孔の縁に係合するため、安定した状態で取付けを行うことができる。
【００１２】
本発明の請求項３に記載の棚取付構造は、請求項１又は２に記載の棚取付構造において、棚受けは、取付面長手方向の両端部に第１および第２の係止部をそれぞれ有する構成としてある。
棚取付構造をこのような構成にすれば、棚本体の取付面の両端部が確実にボードに固定されるため、より安定した固定力を得ることができる。
【００１３】
本発明の請求項４に記載の棚取付構造は、請求項１〜３のいずれか一項に記載の棚取付構造において、棚本体は、両側面部に棚受けを有する構成としてある。
棚取付構造をこのような構成にすれば、第１および第２の係止部を孔あきボードの通孔の鉛直方向に係止させ、外れ防止軸により押さえ付けることができるので、鉛直方向へのがたつきのない棚を提供することができる。
【００１４】
本発明の請求項５に記載の棚取付構造は、請求項１〜３のいずれか一項に記載の棚取付構造において、棚本体は、上下面部に棚受けを有する構成としてある。
棚取付構造をこのような構成にすれば、第１および第２の係止部を孔あきボードの通孔の水平方向に係止させ、外れ防止軸により押さえ付けることができるので、水平方向へのがたつきのない棚を提供することができる。
【００１５】
本発明の請求項６に記載の棚取付構造は、請求項１〜５のいずれか一項に記載の棚取付構造において、棚受けは、第１および第２の係止部の間に突起部をさらに備え、棚本体の前記ボードへの取付け時には、突起部がボードの通孔の１つに嵌め込まれる構成としてある。
棚取付構造をこのような構成にすれば、第１および第２の係止部以外の突起部でも棚本体を支えることになるので、棚本体へ重量物を収納した場合の荷重にも耐える強度を得ることができる。
【００１６】
本発明の請求項７に記載の棚取付構造は、請求項１〜６のいずれか一項に記載の棚取付構造において、外れ防止軸の一端は棚受けに取付けられ、該取付け箇所を支点として回動可能である構成としてある。
棚取付構造をこのような構成にすれば、外れ防止軸の一端が棚受けに支えられているため、外れ防止軸の固定が容易に行える。また、外れ防止軸の紛失を防ぐことができる。
【００１７】
【発明の実施の形態】
以下、本発明の実施の形態について図面を参照して説明する。
［第一実施形態］
まず、本発明の第一実施形態について、図面を参照して説明する。図１は、本発明の第一実施形態に係る棚取付構造を有する棚本体の全体構成図である。また、図２は、本発明の第一実施形態に係る棚本体をボードに取付けた状態を示す取付完了図である。
【００１８】
図１において、棚本体は、正面側の棚板１１ａと、棚本体の底面にある棚板１１ｂと、これらの棚板１１（１１ａ，１１ｂ）を両端から支えて棚本体の側面をなす棚受け１２とを備えている。
各棚受け１２は、樹脂または金属等の弾力性を有する支持軸１３をコ字状に曲折して形成してあり、その上部支持軸１３ａと下部支持軸１３ｂの両端に、孔あきボード２０への取付面側として上部係止部（第１の係止部）１４ａと下部係止部（第２の係止部）１４ｂが形成してある。
【００１９】
すなわち、上部および下部係止部１４（１４ａ、１４ｂ）は、棚受け１２の弾力性を有する部位（支持軸１３）の端部に設けられている。
なお、上部係止部１４ａは、棚受け１２の取付面との間で凹状を形成する切欠き部１５ａを上部に有し、下部係止部１４ｂは、棚受け１２の取付面との間で凹状を形成する切欠き部１５ｂを下部に有している。
【００２０】
このような形状、および材料を用いたことにより、棚受け１２は、上部支持軸１３ａと下部支持軸１３ｂの取付面側に近い箇所に上下方向から力を与えると、変形して上部係止部１４ａと下部係止部１４ｂとの間隔が狭まり、力を除くと元に戻るようになっている。
【００２１】
また、棚受け１２は、下部支持軸１３ｂの上面に軸受け部１６を有しており、この軸受け部１６を支点として棚本体の取付け平面上を回動可能に取付けられた棒状の外れ防止軸１７を有している。
外れ防止軸１７の軸受け取付部と逆の端部には、凸状の突起部１８が形成されている。また、棚受け１２の上部支持軸１３ａの下面には、外れ防止軸１７が回動してきた場合に、外れ防止軸１７の突起部１８が係合する溝部１９が形成されている。
【００２２】
図２に示すように、棚板１１の取付け対象となる孔あきボード２０には、マトリックス状に、等間隔に配列された複数の通孔２１が設けられており、この通孔２１に棚本体の上部および下部係止部１４を嵌め込むことにより、棚本体を孔あきボード２０に係止させる。
すなわち、孔あきボード２０に設けられた鉛直方向のいずれか二つの通孔２１の間隔と、棚受け１２の上部係止部１４ａと下部係止部１４ｂとに各々設けられた切欠き部１５ａと切欠き部１５ｂとの鉛直方向の間隔は、ほぼ同一となるように形成されている。
【００２３】
図３は、図２のＡ−Ａ線における断面図である。図３において、外れ防止軸１７の突起部１８は、上部の引掛り部１８ａと、下部の嵌合部１８ｂとから構成されている。
また、上部支持軸１３ａの溝部１９は、回動して挿入されてきた外れ防止軸１７が挿入方向反対側に通り抜けるのを防ぐため、外れ防止軸１７の引掛り部１８ａを係合させるストッパ部２２が形成されている。
【００２４】
したがって、上部および下部支持軸１３の外れ防止軸１７による固定の際、外れ防止軸１７が挿入方向反対側へ通り抜けることがなく、挿入時の力加減を気にする必要がなく作業性がよくなる。
【００２５】
図４は、図２のＢ−Ｂ線における断面図である。図４において、上部支持軸１３ａの溝部１９は、溝部中心ａに近づくにつれて溝幅が狭くなる形状となっており、溝部中心ａの両側には係合部２３が形成してある。また、外れ防止軸１７の嵌合部１８ｂは、中央に窪みを有する瓢箪状に形成されており、係合部２３との窪みが嵌合するようになっている。
【００２６】
この場合、外れ防止軸１７の嵌合部１８ｂの材料として、合成樹脂や金属を用いることにより、嵌合部１８ｂの幅が上部支持軸１３ａの係合部２３間の溝幅よりも広くても、嵌合部１８ｂは係合部２３の間を通過することが可能となる。
【００２７】
次に、上述した本第一実施形態の構成を有する棚本体を、孔あきボード２０に取り付ける際の手順について図面を参照して説明する。図５は、棚受け本体および孔あきボードの側面図である。
まず、下部支持軸１３ｂに形成された下部係止部１４ｂの切欠き部１５ｂを孔あきボード２０の通孔２１ｂの縁に係合させる（図５（ａ）参照。）。
次いで、上部および下部支持軸１３ａ，１３ｂに上下方向から力を加えて、上部係止部１４ａと下部係止部１４ｂとの間隔を通孔２１ａと通孔２１ｂとの間隔に合わせ、上部係止部１４ａを通孔２１ａに嵌め込む（図５（ｂ）参照。）。
その後、上下方向に加えた力を取り除くことにより、上部係止部１４ａの切欠き部１５ａを孔あきボード２０の通孔２１ａの縁に係合させる（図５（ｃ）参照。）。
最後に、外れ防止軸１７を回動させて、上部支持軸１３ａの下面に形成された溝部１９へ外れ防止軸１７の端部の突起部１８を嵌め込む（図５（ｄ）参照。）。
【００２８】
以上のように、本発明の第一実施形態に係る棚取付構造のよれば、棚受け１２の係止部１４を取付けた部位の弾力性を利用して、上部および下部係止部１４を嵌め込む二つの通孔２１ａ，２１ｂの幅に、上部係止部１４ａと下部係止部１４ｂとの間隔を合わせることができ、係止部１４への取付け、取外しを容易に行うことができる。また、上部および下部係止部１４はともに、外れ防止軸１７によって、それぞれが嵌め込まれている通孔２１に押さえ付けられるので、棚本体と孔あきボード２０との間で、がたつくことのない棚取付構造を提供することができる。
【００２９】
［第二実施形態］
本発明の第二実施形態について、図面を参照して説明する。図６は、本発明の第二実施形態に係る棚取付構造を有する棚本体の全体構成図である。
図６において、上記第一実施形態と異なる点は、棚受け２４の取付面側の上部係止部１４ａと下部係止部１４ｂとの間に突起部２５を新たに形成するとともに
、この突起部２５と対応する位置に外れ防止軸１７の支点部を設けた点である。
このような棚受け２４を有する棚本体を孔あきボード２０に取付ける際、上部係止部１４ａを嵌め込む通孔２１ａと、下部係止部１４ｂを嵌め込む通孔２１ｂとの間の通孔２１ｃに突起部２５を嵌め込むことにより、第一実施形態に増して固定力のある棚取付構造を得ることができる。
【００３０】
［第三実施形態］
本発明の第三実施形態について、図面を参照して説明する。図７は、本発明の第三実施形態に係る棚取付構造を有する棚本体の全体構成図である。
本第三実施形態に係る棚取付構造の上記第一および第二実施形態と異なる点は、棚本体の両側面部にあった棚受け１２（あるいは棚受け２４）の取付け位置を、棚本体の上下面部とした点である。
なお、本第三実施形態では、図７に示すように、下面部に位置する棚受けを受け皿２６とし、上面部に設けられた棚受け２７のみによって棚本体を孔あきボード２０に固定することもできる。以下、図７に示す実施形態について説明する。
【００３１】
図７に示した本第三実施形態における棚本体は、取付面側に設けられた棚板１１を、上面部に設けられた棚受け２７と下面部に設けられた受け皿２６とにより挟み込んだ構成を有している。ここで、棚受け２７は、取付面側から左右の支持軸の長手方向に切欠き部２９がそれぞれ形成され、切欠き部２９より下側部の固定部３０で棚板１１を固定している。棚受け２７をこのような構成とすることにより、切欠き部２９より上側部の支持軸は上記第一および第二実施形態における棚受け１２（あるいは棚受け２４）と同様に弾力性を有している。
【００３２】
したがって、切欠き部２９より上側部の取付面側に係止部２８（左側係止部（第１の係止部）２８ａ、右側係止部（第２の係止部）２８ｂ）を設けることにより、棚本体を孔あきボード２０に取付ける際、棚受け１２の左側係止部２８ａと右側係止部２８ｂを取付けた部位の弾力性を利用して、左側および右側係止部２８を嵌め込む二つの通孔２１の幅に、左側係止部２８ａと右側係止部２８ｂとの間隔を合わせることができる。したがって、左側および右側係止部２８への取付け、取外しを容易に行うことができる。
また、左側および右側係止部２８はともに、上記第一および第二実施形態と同様にして、外れ防止軸１７によって、それぞれが嵌め込まれている通孔２１に押さえ付けられるので、棚本体と孔あきボード２０との間で、がたつくことのない棚取付構造を提供することができる。
【００３３】
なお、上記第一、第二、および第三実施形態に係る棚取付構造では、棚受け１２（あるいは棚受け２４、２７）を棚本体の両側面部、あるいは上下面部のみに設けた構成について説明をしたが、これに限るものではなく、両側面部の棚受け１２の中間部、または、上下面部の棚受け１２の中間部に同様の棚受け１２を設けて、棚板１１を橋渡す構成とすれば、孔あきボード２０と棚本体との係合箇所を増すことができ、より固定感のある棚を提供することができる。
【００３４】
また、上記第一、第二実施形態では、外れ防止軸１７は、下部支持軸１３ｂの上面に形成された軸受け部１６に一端を取付けて回動させる構成としたが、これに限るものではなく、外れ防止軸１７の中間点に蝶番により回動可能としたもの、または、外れ防止軸１７の一端を棚受け１２に取付けることなく両端とも取外し可能として上部支持軸１３ａと、外れ防止軸１７の端部との構成を他端側にも設ける構成としても同様の効果を奏することができる。
同様にして、上記第三実施形態においても、棚受け２７の一方の支持軸を支点として設けられた外れ防止軸１７を、上述のごとく、外れ防止軸１７の中間点に蝶番により回動可能としたもの、または、外れ防止軸１７の一端を棚受け１２に取付けることなく両端とも取外し可能な構成としても同様の効果を奏することができる。
【００３５】
【発明の効果】
以上説明したように本発明によると、棚受けは、弾力性を有し、第１および第２の係止部の少なくとも一方は、該係止部が嵌め込まれた通孔に棚受けの弾力性により係止され、第１および第２の通孔に係止される第１および第２の係止部を、それぞれが係止している通孔に押さえ付ける外れ防止軸を備えることにより、ボードとの取付けおよび取外しが容易に行えるとともに、ボード固定時にがたつくことのない棚取付構造を提供することができる。
【図面の簡単な説明】
【図１】本発明の第一実施形態に係る棚取付構造を有する棚本体の全体構成図である。
【図２】本発明の第一実施形態に係る棚本体をボードに取付けた状態を示す取付完了図である。
【図３】本発明の第一実施形態に係る図２のＡ−Ａ線における断面図である。
【図４】本発明の第一実施形態に係る図２のＢ−Ｂ線における断面図である。
【図５】（ａ）〜（ｄ）は本発明の第一実施形態に係る棚本体を孔あきボードに取付ける手順を説明するための図である。
【図６】本発明の第二実施形態に係る棚取付構造を有する棚本体の全体構成図である。
【図７】本発明の第三実施形態に係る棚取付構造を有する棚本体の全体構成図である。
【図８】従来の物品懸垂用フックをハンガーボードに取付けた状態の側断面図である。
【図９】従来の物品懸垂用フックをハンガーボードに取付けた状態の側断面図である。
【符号の説明】
１  物品懸垂用フック
２  フック部
３  係止部
４  ダボ
５  ハンガーボード
５ａ、５ｂ  通孔
６  物品懸垂用フック
７  切欠き部
８  係止部
９  凹み部
１１ａ、１１ｂ  棚板
１２  棚受け
１３ａ、１３ｂ  支持軸
１４ａ、１４ｂ  係止部
１５ａ、１５ｂ  切欠き部
１６  軸受け部
１７  外れ防止軸
１８  突起部
１８ａ  引掛り部
１８ｂ  嵌合部
１９  溝部
２０  孔あきボード
２１  通孔
２２  ストッパ部
２３  係合部
２４  棚受け
２５  突起部
２６  受け皿
２７  棚受け
２８ａ、２８ｂ  係止部
２９  切欠き部
３０  固定部
【図１】
2004236827.tif 000003
【図２】
2004236827.tif 000004
【図３】
2004236827.tif 000005
【図４】
2004236827.tif 000006
【図５】
2004236827.tif 000007
【図６】
2004236827.tif 000008
【図７】
2004236827.tif 000009
【図８】
2004236827.tif 000010
【図９】
2004236827.tif 000011